(57)【特許請求の範囲】
【請求項１】
ウェアラブル端末と、管理サーバとを備え、
ウェアラブル端末は、計測した心拍パターンと、設定された心拍パターンとを照合して、見守り対象者の本人認証を行い、本人認証に成功したならば、計測した生体データが、設定された正常な範囲を逸脱した場合、警告アラートを、今日が、設定された期日になっている場合、生存証明書を管理サーバに送信する手段を有し、
管理サーバは、ウェアラブル端末から、警告アラート又は生存証明書を受信し、受信したものを解析して警告アラート又は生存証明書のいずれなのかを特定し、警告アラートであると特定した場合は、さらに、その内容も特定し、登録された送信先情報に基づいて、警告アラートの内容又は生存証明書に応じた送信先に、警告アラート又は生存証明書を送信する手段とを有することを特徴とする見守りシステム。
【請求項２】
中継端末も備え、
ウェアラブル端末が、警告アラート又は生存証明書を管理サーバに送信し、管理サーバが、ウェアラブル端末から、警告アラート又は生存証明書を受信することは、ウェアラブル端末が、警告アラート又は生存証明書を中継端末に送信し、中継端末が、警告アラート又は生存証明書を受信して管理サーバに送信し、管理サーバが、中継端末から、警告アラート又は生存証明書を受信することであることを特徴とする請求項１記載の見守りシステム。
【請求項３】
ウェアラブル端末と、管理サーバとを備えるシステムが行う方法であって、
ウェアラブル端末が、計測した心拍パターンと、設定された心拍パターンとを照合して、見守り対象者の本人認証を行い、本人認証に成功したならば、計測した生体データが、設定された正常な範囲を逸脱した場合、警告アラートを、今日が、設定された期日になっている場合、生存証明書を管理サーバに送信する工程と、
管理サーバが、ウェアラブル端末から、警告アラート又は生存証明書を受信し、受信したものを解析して警告アラート又は生存証明書のいずれなのかを特定し、警告アラートであると特定した場合は、さらに、その内容も特定し、登録された送信先情報に基づいて、警告アラートの内容又は生存証明書に応じた送信先に、警告アラート又は生存証明書を送信する工程とを含むことを特徴とする見守り方法。
【請求項４】
前記システムは、中継端末も備え、
ウェアラブル端末が、警告アラート又は生存証明書を管理サーバに送信し、管理サーバが、ウェアラブル端末から、警告アラート又は生存証明書を受信することは、ウェアラブル端末が、警告アラート又は生存証明書を中継端末に送信し、中継端末が、警告アラート又は生存証明書を受信して管理サーバに送信し、管理サーバが、中継端末から、警告アラート又は生存証明書を受信することであることを特徴とする請求項３記載の見守り方法。
【発明の詳細な説明】
【技術分野】
【０００１】
本発明は、見守りシステム及び方法に関する。
【背景技術】
【０００２】
従来から、高齢者等の見守り対象者を見守るためのシステムが知られている。
【０００３】
例えば、特許文献１には、所定の生活空間（たとえば、住居）内で生活している生活者の動作や状態を、生活者に装着された装着型センサ（たとえば、バイタルセンサ、加速度センサ、振動センサ）等の種々のセンサで計測し、これらセンサの出力に基づいて、この生活者の異常を判定し、この生活者に異常が有ると判定されたときには、生活者に対して自動音声呼びかけを行い、この生活者の音声を収集し、自動音声呼びかけに対する音声応答の有無と内容とにより、この生活者に異常がある旨を自動通報する必要があるかを判定し、自動通報する必要があると判定されたときには、予め設定されている通報先に、この生活者に異常が有る旨を自動通報する生活見守りシステムが記載されている。
【０００４】
しかしながら、特許文献１の生活見守りシステムでは、これらのセンサの出力に基づいて、この生活者に異常が有ると判定されたときに、この異常を、予め設定され通報先に、自動通報するかは、生活者の自動音声呼びかけに対する音声応答に依存している。
【０００５】
このため、所定の生活空間が、閑静な環境にあり、所定の生活空間に、自動音声呼びかけ以外に音を出すものが何も無ければよいが、そうでなければ、予め設定され通報先に、自動通報する必要がある異常が、この通報先に、自動通報されなかったり、逆に、予め設定され通報先に、自動通報する必要が無い異常が、この通報先に、自動通報される恐れがあるという欠点を有する。
【０００６】
また、特許文献１の生活見守りシステムでは、生活者の本人認証を行っていない。
【０００７】
このため、所定の生活空間が、介護老人福祉施設のように、予め設定されている通報先が全く異なる複数の生活者がいる場合、誤って他の生活者の装着センサが装着されて、自動通報すべき異常が、自動通報すべき通報先ではなく、自動通報すべきでない通報先に自動通報される恐れがあるという欠点を有する。
【０００８】
また、生存年金保険等を受給するには、年１回生存証明書を役所等から取得し、保険会社等に提出する必要があるが、特許文献１の生活見守りシステムは、このような生存証明書を発行できない。
【先行技術文献】
【特許文献】
【０００９】
【特許文献１】特開２００２−１７５５８１号公報
【発明の概要】
【発明が解決しようとする課題】
【００１０】
本発明は、このような事情を考慮してなされたもので、見守り対象者の送信すべき情報を、送信すべき時に、送信すべき送信先に、確実に送信できることを課題とする。
【課題を解決するための手段】
【００１１】
本発明において上記課題を解決するために、まず請求項１の発明では、
ウェアラブル端末と、管理サーバとを備え、
ウェアラブル端末は、計測した心拍パターンと、設定された心拍パターンとを照合して、見守り対象者の本人認証を行い、本人認証に成功したならば、計測した生体データが、設定された正常な範囲を逸脱した場合、警告アラートを、今日が、設定された期日になっている場合、生存証明書を管理サーバに送信する手段を有し、
管理サーバは、ウェアラブル端末から、警告アラート又は生存証明書を受信し、受信したものを解析して警告アラート又は生存証明書のいずれなのかを特定し、警告アラートであると特定した場合は、さらに、その内容も特定し、登録された送信先情報に基づいて、警告アラートの内容又は生存証明書に応じた送信先に、警告アラート又は生存証明書を送信する手段とを有することを特徴とする見守りシステムとしてものである。
【００１２】
また請求項２に係る発明は、
中継端末も備え、
ウェアラブル端末が、警告アラート又は生存証明書を管理サーバに送信し、管理サーバが、ウェアラブル端末から、警告アラート又は生存証明書を受信することは、ウェアラブル端末が、警告アラート又は生存証明書を中継端末に送信し、中継端末が、警告アラート又は生存証明書を受信して管理サーバに送信し、管理サーバが、中継端末から、警告アラート又は生存証明書を受信することであることを特徴とする請求項１記載の見守りシステムとしたものである。
【００１３】
また請求項３に係る発明は、
ウェアラブル端末と、管理サーバとを備えるシステムが行う方法であって、
ウェアラブル端末が、計測した心拍パターンと、設定された心拍パターンとを照合して、見守り対象者の本人認証を行い、本人認証に成功したならば、計測した生体データが、設定された正常な範囲を逸脱した場合、警告アラートを、今日が、設定された期日になっている場合、生存証明書を管理サーバに送信する工程と、
管理サーバが、ウェアラブル端末から、警告アラート又は生存証明書を受信し、受信したものを解析して警告アラート又は生存証明書のいずれなのかを特定し、警告アラートであると特定した場合は、さらに、その内容も特定し、登録された送信先情報に基づいて、警告アラートの内容又は生存証明書に応じた送信先に、警告アラート又は生存証明書を送信する工程とを含むことを特徴とする見守り方法としたものである。
【００１４】
また請求項４に係る発明は、
前記システムは、中継端末も備え、
ウェアラブル端末が、警告アラート又は生存証明書を管理サーバに送信し、管理サーバが、ウェアラブル端末から、警告アラート又は生存証明書を受信することは、ウェアラブル端末が、警告アラート又は生存証明書を中継端末に送信し、中継端末が、警告アラート又は生存証明書を受信して管理サーバに送信し、管理サーバが、中継端末から、警告アラート又は生存証明書を受信することであることを特徴とする請求項３記載の見守り方法としたものである。
【発明の効果】
【００１５】
本発明は、ウェアラブル端末を身に付けている人が、見守り対象者本人である場合のみ、生体データが設定された正常な範囲を逸脱した時、登録された送信先情報に基づいて、警告アラートを、その内容に応じた送信先に送信し、今日が設定された期日になった時、登録された送信先情報に基づいて、生存証明書を、生存証明書に応じた送信先に送信できる。
【００１６】
このため、本発明は、突然の生体データの停止のように、生体データが設定された正常
な範囲を逸脱しても、それが、見守り対象者の身体に異常が発生したためではなく、単に、ウェアラブル端末を外しただけの時には、遠隔地にいる家族には警告アラートを送信せず、見守り対象者の身体に異常が発生した時のみに、遠隔地にいる家族に警告アラートを送信でき、かつ、見守り対象者の生存証明書を、設定された年１回の期日に、保険会社に送信することができる。
【００１７】
従って、本願発明は、見守り対象者の送信すべき情報を、送信すべき時に、送信すべき送信先に、確実に送信できるという効果がある。
【００１８】
請求項２に係る発明は、ウェラブル端末に搭載する通信装置を中継端末と近距離無線通信可能なものにでき、ウェラブル端末を小型で装着感の良いものにすることができるという効果がある。
【図面の簡単な説明】
【００１９】
【図１】本発明の見守りシステムの一構成例を説明する図。
【図２】ウェアラブル端末の一構成例を示す図。
【図３】中継端末の一構成例を示す図。
【図４】管理サーバの一構成例を示す図。
【図５】見守り対象者がウェアラブル端末を装着した後に、このウェアラブル端末が行う処理の流れの一例を説明するフローチャート。
【図６】中継端末が行う処理の流れの一例を説明するフローチャート。
【図７】管理サーバが行う処理の流れの一例を説明するフローチャート。
【発明を実施するための形態】
【００２０】
以下に、本発明の一実施形態を説明する。
【００２１】
本発明の見守りシステムは、図１に示すように、ウェアラブル端末と、中継端末と、管理サーバとを備え、ウェアラブル端末と中継装置とは近距離無線通信で接続され、中継装置と管理サーバとはネットワークに接続されるものである。
【００２２】
ネットワークは、インターネット、携帯電話網など、広域で、不特定多数の人が利用できるものであればよく、ネットワークには、保険会社の端末、高齢者等の見守り対象者を直接介護する介護者、この見守り対象者の遠隔地にいる家族等の見守り人の携帯端末が接続される。この携帯端末は、例えば、携帯電話、スマートフォン等である。
【００２３】
ウェアラブル端末は、例えば、指輪、リストバンドのように、人が身に付けることが可能な形状をしており、高齢者等の見守り対象者に装着される。
【００２４】
ウェアラブル端末は、例えば、図２に示すように、生体センサと、時計装置と、近距離無線通信装置と、補助記憶装置と、主記憶装置と、中央処理装置とを備える。
【００２５】
生体センサは、ウェアラブル端末が装着された見守り対象者に対して、例えば、心拍パターン、心拍数等の生体データを計測する装置である。
【００２６】
時計装置は、現在の時刻を計測する装置である。
【００２７】
近距離無線通信装置は、例えば、Ｂｌｕｅｔｏｏｔｈ（登録商標）のように、近距離無線通信を行う装置である。
【００２８】
補助記憶装置は、データ及びプログラムを永続的に記憶する装置である。
【００２９】
補助記憶装置に記憶されているプログラムは、主記憶装置にロードされて、中央処理装置によって実行される。
【００３０】
ウェアラブル端末は、予め、見守り対象者を唯一に識別するＩＤと、この見守り対象者の心拍パターンと、この見守り対象者の心拍数等の生体データの正常な範囲と、生存証明書を年一回送る期日とを設定して、補助記憶装置に記憶する手段を有する（図示せず）。
【００３１】
補助記憶装置には、生体センサが計測した心拍パターンと、予め設定されて補助記憶装置で記憶している心拍パターンとを照合して、ウェアラブル端末が装着された見守り対象者の本人認証を行い、本人認証に失敗したならば、本人認証失敗通知を近距離無線通信装置で中継端末に送信し、
他方、本人認証に成功したならば、生体センサが計測した心拍数等の生体データが、予め設定されて補助記憶装置で記憶している正常な範囲を逸脱した場合、警告アラートを近距離無線通信装置で中継端末に送信し、また、時計装置が計測した時刻から今日が、予め設定されて補助記憶装置で記憶している生存証明書を年に一回送る期日になっている場合、生存証明書を近距離無線通信装置で中継端末に送信することを中央処理装置に行わせるプログラムが記憶されている。
【００３２】
本人認証失敗通知は、例えば、予め設定されて補助記憶装置で記憶している見守り対象者を唯一に識別するＩＤと、このＩＤで識別される見守り対象者が、装着すべきウェアラブル端末を装着していないという趣旨の情報とを含んでいる。
【００３３】
警告アラートは、例えば、予め設定されて補助記憶装置で記憶されている見守り対象者を唯一に識別するＩＤ、及び、この見守り対象者の心拍数等の生体データの正常な範囲と、生体センサで計測した心拍数等の生体データと、このＩＤで識別される見守り対象者の心拍数等の生体データが、この正常な範囲を逸脱したという趣旨の情報とを含んでいる。
【００３４】
生存証明書は、例えば、予め設定されて補助記憶装置で記憶している見守り対象者を唯一に識別するＩＤと、生体センサで計測した心拍数等の生体データと、この生体データを計測した時刻と、この生体データを、このＩＤで識別される見守り対象者の、この時刻での生存の証拠として、この見守り対象者の生存を証明するという趣旨の情報とを含んでいる。
【００３５】
中継端末は、図３に示すように、通信装置と、近距離無線通信装置と、補助記憶装置と、主記憶装置と、中央処理装置とを備える。
【００３６】
通信装置は、無線又は有線でネットワークに接続して通信を行う装置である。
【００３７】
近距離無線通信装置は、例えば、Ｂｌｕｅｔｏｏｔｈ（登録商標）のように、近距離無線通信を行う装置である。
【００３８】
補助記憶装置は、データ及びプログラムを永続的に記憶する装置である。
【００３９】
補助記憶装置に記憶されているプログラムは、主記憶装置にロードされて、中央処理装置によって実行される。
【００４０】
補助記憶装置には、ウェアラブル端末から、本人認証失敗通知、警告アラート、生存証明書等の情報を、近距離無線通信装置で受信して、通信装置で、ネットワークを介して、管理サーバに送信することを中央処理装置に行わせるプログラムが記憶されている。
【００４１】
このプログラムは、ウェアラブル端末から受信した情報を、メールで、すなわち、メールに記載して、或いは、メールに添付して管理サーバに送信することを中央処理装置に行わせても良い。
【００４２】
中継端末の例としては、スマートフォン、モバイルルーター、モバイルルーター内蔵メール送信機がある。
【００４３】
管理サーバは、図４に示すように、通信装置と、補助記憶装置と、主記憶装置と、中央処理装置とを備えるコンピュータである。
【００４４】
通信装置は、無線又は有線でネットワークに接続して通信を行う装置である。
【００４５】
補助記憶装置は、データ及びプログラムを永続的に記憶する装置である。
【００４６】
補助記憶装置に記憶されているプログラムは、主記憶装置にロードされて、中央処理装置によって実行される。
【００４７】
管理サーバは、予め、見守り対象者毎に、中継端末からネットワークを介して受信した本人認証失敗通知、警告アラート、生存証明書等の情報の内容に応じて、この情報を送信する送信先の情報（以後、送信先情報とも云う）を登録して、補助記憶装置に記憶する手段を有する（図示せず）。
【００４８】
また、管理サーバは、予め、中継端末からネットワークを介して受信した本人認証失敗通知、警告アラート、生存証明書等の情報を解析して、受信した情報の内容を特定するための基準を登録して、補助記憶装置に記憶する手段を有する（図示せず）。
【００４９】
そして、補助記憶装置には、中継端末からネットワークを介して、本人認証失敗通知、警告アラート、生存証明書等の情報を通信装置で受信し、受信した情報から、見守り対象者を唯一に識別するＩＤを読み出し、受信した情報の内容を特定するための予め登録されて補助記憶装置で記憶している基準に基づいて、この情報を解析して、内容を特定し、読み出したＩＤで識別される見守り対象者の予め登録されて補助記憶装置で記憶している送信先情報に基づいて、特定した内容に応じた送信先に、この情報を通信装置で送信することを中央処理装置に行わせるプログラムが記憶されている。
【００５０】
受信した情報の内容を特定するための基準としては、例えば、受信した情報が、本人認証失敗通知、警告アラート、生存証明書のいずれなのかを特定するためのものがある。
【００５１】
このような判断基準としては、例えば、受信した情報が、見守り対象者を唯一に識別するＩＤと、このＩＤで識別される見守り対象者が、装着すべきウェアラブル端末を装着していないという趣旨の情報とを含んでいるならば、受信した情報は、本人認証失敗通知であり、受信した情報が、見守り対象者を唯一に識別するＩＤと、この見守り対象者の心拍数等の生体データの正常な範囲と、生体センサで計測した心拍数等の生体データと、この
ＩＤで識別される見守り対象者の心拍数等の生体データが、この正常な範囲を逸脱したという趣旨の情報とを含んでいるならば、受信した情報は警告アラートであり、受信した情報が、見守り対象者を唯一に識別するＩＤと、生体センサで計測した心拍数等の生体データと、この生体データを計測した時刻と、この生体データを、このＩＤで識別される見守り対象者の、この時刻での生存の証拠として、この見守り対象者の生存を証明するという趣旨の情報とを含んでいるならば、受信した情報は生存証明書であるとするものがある。
【００５２】
また、受信した情報の内容を特定するための基準としては、例えば、受信した情報が警告アラートであると特定された場合、心拍数等の生体データが、正常な範囲を逸脱したのは、見守り対象者からウェアラブル端末が外れたからなのか、或いは、見守り対象者の身体に異常が生じたからなのかを特定するためのものがある。
【００５３】
このような判断基準としては、例えば、心拍数が突然零になる等、突然の心拍数等の生体データの停止の場合には、見守り対象者からウェアラブル端末が外れたとし、そうでない場合には、見守り対象者の身体に異常が生じたとするものがある。
【００５４】
そして、送信先情報として、例えば、本人認証失敗通知に応じた送信先に、見守り対象者を直接介護している介護者のメールアドレスのみが予め登録されていれば、本人認証失敗通知が、この介護者のみにメールで送信されることになり、この介護者は、この介護者の携帯端末で、この本人認証失敗通知を受信して閲覧することができ、見守り対象者に、装着すべきウェアラブル端末を装着させることができる。しかしながら、この介護者以外には、この本人認証失敗通知は送信されないので、遠隔地にいる家族等の見守り人には、余計な心配を掛けないで済む。
【００５５】
また、送信先情報として、例えば、見守り対象者からウェアラブル端末が外れた場合の警告アラートに応じた送信先に、見守り対象者を直接介護している介護者のメールアドレスのみが予め登録されていれば、見守り対象者からウェアラブル端末が外れた場合の警告アラートが、この介護者のみにメールで送信されることになり、この介護者は、この介護者の携帯端末で、この見守り対象者からウェアラブル端末が外れた場合の警告アラートを受信して閲覧することができ、見守り対象者に、外れたウェアラブル端末を再度装着させることができる。しかしながら、この介護者以外には、この見守り対象者からウェアラブル端末が外れた場合の警告アラートは送信されないので、遠隔地にいる家族等の見守り人には、余計な心配を掛けないで済む。
【００５６】
また、送信先情報として、例えば、見守り対象者の身体に異常が生じた場合の警告アラートに応じた送信先に、見守り対象者を直接介護している介護者、この見守り対象者の遠隔地にいる家族等の全ての見守り人のメールアドレスが予め登録されていれば、見守り対象者の身体に異常が生じた場合の警告アラートが、これら全ての見守り人にメールで送信されることになり、これら全ての見守り人は、それぞれの携帯端末で、この見守り対象者の身体に異常が生じた場合の警告アラートを受信して閲覧することができ、この介護者は見守り対象者を医師に診せる等の処置を取ることができ、遠隔地にいる家族は、この見守り対象者、又は、この見守り対象者と同居している家族、或いは、この介護者に、電話で、この見守り対象者の様子を聞く等の処置を取ることができる。
【００５７】
さらに、送信先情報として、例えば、生存証明書に応じた送信先として、保険会社のメールアドレスが予め登録されていれば、生存証明書が、この保険会社にメールで送信されることになり、保険会社は、この保険会社の端末で、この生存証明書を受信して生存保険の支払いの処理を行うことができる。そして、この生存証明書が、この保険会社にメールで送信されるので、見守り対象者、又は、この見守り対象者と同居している家族、或いは、この見守り対象者を直接介護している介護者の手を煩わすことがない。
【００５８】
以下に、見守り対象者がウェアラブル端末を装着した後に、このウェアラブル端末が行う処理の流れの一例を、図５のフローチャートに従って説明する。
【００５９】
Ｓ（ＳＴＥＰ）１；
ウェアラブル端末は、生体センサで計測した心拍パターンと、予め設定されて補助記憶装置で記憶している心拍パターンとを照合する本人認証を行い、
両方の心拍パターンが異なるならば、本人認証に失敗したとして、ＳＴＥＰ２に進み、
両方の心拍パターンが一致するならば、本人認証に成功したとして、ＳＴＥＰ３に進み、
【００６０】
Ｓ（ＳＴＥＰ）２；
ウェアラブル端末は、予め設定されて補助記憶装置で記憶している見守り対象者を唯一に識別するＩＤと、このＩＤで識別される見守り対象者が、装着すべきウェアラブル端末を装着していないという趣旨の情報とを含んでいる本人認証失敗通知を、近距離通信装置で中継端末に送信して、ＥＮＤに進む。
【００６１】
Ｓ（ＳＴＥＰ）３；
ウェアラブル端末は、生体センサで計測した心拍数等の生体データと、予め設定されて補助記憶装置で記憶している見守り対象者の心拍数等の生体データの正常な範囲とを比較し、
計測した心拍数等の生体データが、この正常な範囲を逸脱したならば、ＳＴＥＰ４に進み、
計測した心拍数等の生体データが、この正常な範囲内であれば、ＳＴＥＰ５に進む。
【００６２】
Ｓ（ＳＴＥＰ）４；
ウェアラブル端末は、予め設定されて補助記憶装置で記憶されている見守り対象者を唯一に識別するＩＤ、及び、この見守り対象者の心拍数等の生体データの正常な範囲と、生体センサで計測した心拍数等の生体データと、このＩＤで識別される見守り対象者の心拍数等の生体データが、この正常な範囲を逸脱したという趣旨の情報とを含んでいる警告アラートを、近距離通信装置で中継端末に送信する。
【００６３】
Ｓ（ＳＴＥＰ）５；
ウェアラブル端末は、時計装置で計測した現在の時刻から今日が、予め設定されて補助記憶装置で記憶している生存証明書を年に一回送る期日になっているかを判断し、
今日が、この生存証明書を年に一回送る期日になっているならば、ＳＴＥＰ６に進み、
今日が、まだ、この生存証明書を年に一回送る期日になっていないならば、ＳＴＥＰ３に戻る。
【００６４】
Ｓ（ＳＴＥＰ）６；
ウェアラブル端末は、予め設定されて補助記憶装置で記憶している見守り対象者を唯一に識別するＩＤと、生体センサで計測した心拍数等の生体データと、この生体データを計測した時刻と、この生体データを、このＩＤで識別される見守り対象者の、この時刻での生存の証拠として、この見守り対象者の生存を証明するという趣旨の情報とを含んでいる生存証明書を、近距離通信装置で中継端末に送信して、ＳＴＥＰ３に戻る。
【００６５】
以下に、中継端末が行う処理の流れの一例を、図６のフローチャートに従って説明する。
【００６６】
Ｓ（ＳＴＥＰ）１；
中継端末は、ウェアラブル端末から、本人認証失敗通知、警告アラート、生存証明書のいずれかの情報を、近距離無線通信装置で受信する。
【００６７】
Ｓ（ＳＴＥＰ）２；
中継端末は、受信した情報を、通信装置で、ネットワークを介して、管理サーバに送信する。
【００６８】
以下に、管理サーバが行う処理の流れの一例を、図７のフローチャートに従って説明する。
【００６９】
Ｓ（ＳＴＥＰ）１；
管理サーバは、中継端末から、ネットワークを介して、本人認証失敗通知、警告アラート、生存証明書のいずれかの情報を、通信装置で受信する。
【００７０】
Ｓ（ＳＴＥＰ）２；
管理サーバは、受信した情報から、見守り対象者を唯一に識別するＩＤを読み出す。
【００７１】
Ｓ（ＳＴＥＰ）３；
管理サーバは、受信した情報が、本人認証失敗通知、警告アラート、生存証明書のいずれなのかを特定するための予め登録されて補助記憶装置で記憶している基準に基づいて、受信した情報を解析して、受信した情報が、本人認証失敗通知、警告アラート、生存証明書のいずれなのか特定し、
受信した情報が、本人認証失敗通知であると特定したならば、ＳＴＥＰ４に進み、
受信した情報が、警告アラートであると特定したならば、ＳＴＥＰ５に進み、
受信した情報が、生存証明書であると特定したならば、ＳＴＥＰ９に進む。
【００７２】
Ｓ（ＳＴＥＰ）４；
管理サーバは、読み出したＩＤで識別される見守り対象者の予め登録されて補助記憶装置で記憶している送信先情報に基づいて、本人認証失敗通知に応じた送信先に、受信した本人認証失敗通知を通信装置で送信し、ＥＮＤに進む。
【００７３】
Ｓ（ＳＴＥＰ）５；
管理サーバは、心拍数等の生体データが、正常な範囲を逸脱したのは、見守り対象者からウェアラブル端末が外れたからなのか、或いは、見守り対象者の身体に異常が生じたからなのかを特定するための予め登録されて補助記憶装置に記憶している基準に基づいて、受信した警告アラートが、見守り対象者からウェアラブル端末が外れた場合のものであるのか、或いは、見守り対象者の身体に異常が生じた場合のものなのかを特定し、
受信した警告アラートが、見守り対象者からウェアラブル端末が外れた場合のものであると特定したならば、ＳＴＥＰ６に進み、
受信した警告アラートが、見守り対象者の身体に異常が生じた場合のものであると特定したならば、ＳＴＥＰ７に進む。
【００７４】
Ｓ（ＳＴＥＰ）６；
管理サーバは、読み出したＩＤで識別される見守り対象者の予め登録されて補助記憶装置で記憶している送信先情報に基づいて、見守り対象者からウェアラブル端末が外れた場合の警告アラートに応じた送信先に、受信した警告アラートを通信装置で送信し、ＥＮＤに進む。
【００７５】
Ｓ（ＳＴＥＰ）７；
管理サーバは、読み出したＩＤで識別される見守り対象者の予め登録されて補助記憶装
置で記憶している送信先情報に基づいて、見守り対象者の身体に異常が生じた場合の警告アラートに応じた送信先に、受信した警告アラートを通信装置で送信し、ＥＮＤに進む。
【００７６】
Ｓ（ＳＴＥＰ）８；
管理サーバは、読み出したＩＤで識別される見守り対象者の予め登録されて補助記憶装置で記憶している送信先情報に基づいて、生存証明書に応じた送信先に、受信した生存証明書を通信装置で送信する。
【００７７】
尚、ウェアラブル端末が、近距離無線通信装置の代わりに、無線又は有線でネットワークに接続して通信を行う通信装置を備えるならば、中継端末は不要となる。しかしながら、その場合、ウェアラブル端末が大型になって、装着感が悪くなることが有り得る。
【図１】
0006586861.tif 000002
【図２】
0006586861.tif 000003
【図３】
0006586861.tif 000004
【図４】
0006586861.tif 000005
【図５】
0006586861.tif 000006
【図６】
0006586861.tif 000007
【図７】
0006586861.tif 000008